(57)【要約】【課題】様々なコンセント殼体又は板体表面に取り付け可能で、プラグの差込み方向に合わせて差込口を有する面を回転させ、角度を変更できるコンセントの提供。【解決手段】上端に２つの差込口１１を設け、下端をベース盤２で閉鎖し、差込口１１の下方に電気端子３１を設置し、電気端子３１からベース盤２の下面の互いに異なる半径位置に露出する弾性プローブ片３１０を延出して成る円柱状の回動体１０と、カップリング座体４の外周部にコンセント取付用の連結部４０２を設けると共に、ツメ片４００を形成し、異なる半径の２つのリング片５１をカップリング座体４の上面に設置して成るアーマチャ４０と、リング片５１に接続された電気ワイヤ６１を備え、ツメ片４００をベース盤２の外周囲に形成した環状ショルダ部２００に係止して回動体１０とアーマチャ４０を相対回動可能に組み立て、リング片５１と弾性プローブ片３１０を接触させる。【選択図】図１
0003164427.tif 000002
【実用新案登録請求の範囲】
【請求項１】
少なくとも２つの差込口を設けた差込み面板を上端に設置すると共に、前記差込口の下方に端子嵌合槽をそれぞれ設けて成る本体、前記本体の下端に結合され、外周囲に環状ショルダ部を張り出して設けたベース盤、及び、前記端子嵌合槽内にそれぞれ嵌合され、前記ベース盤の下面において互いに異なる半径位置に露出する弾性プローブ片が延出された電気端子を有する円柱状の回動体と、
円形のカップリング座体の外周部にコンセント取付用の連結部を設け、前記カップリング座体の上面において前記弾性プローブ片の位置に対応した異なる半径位置にそれぞれリング片を設置し、前記カップリング座体の外周に前記ベース盤の環状ショルダ部と係合するツメ片を設けて成るアーマチャと、
前記リング片にそれぞれ電気的に接続された電気ワイヤと、
を備え、前記ツメ片を前記回動体の環状ショルダ部に係止して、前記回動体とアーマチャとを共通の軸を中心として相対回動可能に組み立て、前記リング片と弾性プローブ片とを接触させて円形軌道に沿った導電を可能にしたことを特徴とする、コンセント。
【請求項２】
前記回動体にアース端子を設け、該アース端子の上端を前記差込み面板に設けた接地差込口を介して外部に開放し、前記アース端子の下端に摺動円片を設け、前記摺動円片が前記ベース盤の中心に設けた穿孔の位置に配置され、前記アーマチャのカップリング座体の中心に円孔を設け、前記円孔を介して前記摺動円片に枢接片が電気的に接続されると共に、該枢接片がアース線に電気的に接続されたことを特徴とする、請求項１に記載のコンセント。
【請求項３】
コンセント殼体に収納され、該コンセント殻体に設けた開孔に前記本体の上端面を露出し、前記本体の上端外周に径方向に突出したフランジを設けると共に、該フランジで前記開孔の周囲を下から塞ぎ、前記コンセント殼体に、前記アーマチャの連結部に相対して相互に螺合固定される螺合孔を設けたことを特徴とする、請求項１に記載のコンセント。
【請求項４】
前記アーマチャの前記カップリング座体の底面が平面となっていることを特徴とする、請求項１に記載のコンセント。
【請求項５】
前記回動体の外囲に防護用の囲い体を設けたことを特徴とする、請求項４に記載のコンセント。
【請求項６】
前記端子嵌合槽にショルダ当接部を設け、前記電気端子に設けたショルダ部の上面を前記ショルダ当接部に当接し、前記電気端子の下端に支持端を設け、該支持端を前記ベース盤の上面に当接したことを特徴とする、請求項１に記載のコンセント。
【請求項７】
前記本体の下端に前記ベース盤に当接する当接端が設けられ、前記ベース盤にネジ孔が形成され、前記本体に螺合柱が設けられ、前記ネジ孔を介してネジを前記螺合柱に螺合することにより、前記本体の下端をベース盤で封鎖すると共に、前記電気端子を固定して回動体を形成することを特徴とする、請求項１に記載のコンセント。
【考案の詳細な説明】
【技術分野】
【０００１】
本考案は、平面角度を調整可能なコンセントに関する。
【背景技術】
【０００２】
電気器具に電力を供給するコンセントは、通常、冷蔵庫、テレビ等のように特定の場所に設置する家電、及び、情報機器、扇風機等の可動式の電気器具の電源となる。
可動式の電気器具に用いる場合は、設置位置の変化によってコンセントと電気器具とを接続する電気コードの配線角度も変化し、電気コードにねじれを形成することがある。
このようなねじれを防ぐために、多くのプラグは回動によって差し込み角度を変えることができるようになっている。しかし、各プラグに角度変化のための機構を採用することはコストが高くついて経済的な負担が大きくなる。
【０００３】
そこで、従来、差し込み角度の可変構造をコンセント部分に設けたものが提案されている。
例えば、特許文献１に記載された回動可能なコンセントは、蓋体とベースを相互に結合して形成したコンセント本体、及び、複数の導電座体を備える。導電座体はベースにより上に向かって弾性的に支持され、導電座体の上端にそれぞれベース電源導通片と相互に導通された導電片３組が嵌設され、かつコンセント回動体が導電座体外部を完全に覆って設置されている。
【０００４】
このコンセントは、蓋体とベースの上下組み立てによって、コンセント回動体を位置決めして固定し、同時に３組の栓刃と導電座体の３組の導電片を相互にしっかりと連通させることができるが、特定の要求を満たす蓋体とベースでの使用に限られ、さもなければ支持を受けて回動させることができず、且つその弾性的接触もベースのバネに依存しており、組み立て構造部材が煩雑である。
また、特定の構造のコンセント外殼と組み合わせる必要があるため、製造コストが高くなり、さまざまな種類の外殼や給電ボックス内部の任意の位置に隨意に取り付け、組み合わせて使用するなど、幅広く応用することができない。
【先行技術文献】
【特許文献】
【０００５】
【特許文献１】台湾特許第８９２２０３２５号明細書
【考案の概要】
【考案が解決しようとする課題】
【０００６】
本考案が解決しようとする課題は、さまざまな種類のコンセント殼体または板体表面の給電位置に幅広く取り付けることができて、汎用性が高く、コストが低廉で済み、プラグを差し込むとき、その差込み方向に合わせて差込口が形成された面の角度を変化させることができるコンセントを提供することにある。
【課題を解決するための手段】
【０００７】
本考案のコンセントは、少なくとも２つの差込口を設けた差込み面板を上端に設置すると共に、前記差込口の下方に端子嵌合槽をそれぞれ設けて成る本体、前記本体の下端に結合され、外周囲に環状ショルダ部を張り出して設けたベース盤、及び、前記端子嵌合槽内にそれぞれ嵌合され、前記ベース盤の下面において互いに異なる半径位置に露出する弾性プローブ片が延出された電気端子を有する円柱状の回動体と、円形のカップリング座体の外周部にコンセント取付用の連結部を設け、前記カップリング座体の上面において前記弾性プローブ片の位置に対応した異なる半径位置にそれぞれリング片を設置し、前記カップリング座体の外周に前記ベース盤の環状ショルダ部と係合するツメ片を設けて成るアーマチャと、前記リング片にそれぞれ電気的に接続された電気ワイヤとを備え、前記ツメ片を前記回動体の環状ショルダ部に係止して、前記回動体とアーマチャとを共通の軸を中心として相対回動可能に組み立て、前記リング片と弾性プローブ片とを接触させて円形軌道に沿った導電を可能にしてある。
【０００８】
以下の構成を採用してもよい。
前記回動体にアース端子を設け、該アース端子の上端を前記差込み面板に設けた接地差込口を介して外部に開放させ、前記アース端子の下端に摺動円片を設け、前記摺動円片が前記ベース盤の中心に設けた穿孔の位置に配置され、前記アーマチャのカップリング座体の中心に円孔を設け、前記円孔を介して前記摺動円片に枢接片を電気的に接続すると共に、該枢接片をアース線に電気的に接続した構成。
コンセント殼体に収納され、該コンセント殻体に設けた開孔に前記本体の上端面を露出し、前記本体の上端外周に径方向に突出したフランジを設けると共に、該フランジで前記開孔の周囲を下から塞ぎ、前記コンセント殼体に、前記アーマチャの連結部に相対して相互に螺合固定される螺合孔を設けた構成。
【０００９】
前記アーマチャの前記カップリング座体の底面を平面として、板体の表面に取り付け可能とした構成。
この場合、前記回動体の外囲に防護用の囲い体を設けた構成。
前記端子嵌合槽にショルダ当接部を設け、前記電気端子に設けたショルダ部の上面を前記ショルダ当接部に当接し、前記電気端子の下端に支持端を設け、該支持端を前記ベース盤の上面に当接した構成。
前記本体の下端に前記ベース盤に当接する当接端が設けられ、前記ベース盤にネジ孔が形成され、前記本体に螺合柱が設けられ、前記ネジ孔を介してネジを前記螺合柱に螺合することにより、前記本体の下端をベース盤で封鎖すると共に、前記電気端子を固定して回動体を形成した構成。
【考案の効果】
【００１０】
本考案によれば、プラグを差し込み可能な差込口及び電気端子を有する回動体を、固定されたアーマチャに対して回転させ、しかも、電気端子と外部から給電されるリング片との電力導通を維持できるため、プラグを差し込む方向に合わせて回動体を回転させてコードのねじれ等を防ぎ、しかも、電気端子の導通状態を維持できる。
また、アーマチャに設けた連結部を利用して、差込口を露出させるための開孔を具えたコンセント殼体、あるいは、壁面や給電ボックスの底面位置などのあらゆる面に随意に取り付けて幅広く応用できる。
【図面の簡単な説明】
【００１１】
【図１】本考案の実施例を示すコンセントの分解斜視図である。
【図２】本考案の実施例に係る回動体の分解斜視図である。
【図３】本考案の実施例に係る回動体の組み立て後の斜視図である。
【図４】本考案の実施例に係るアーマチャの斜視図である。
【図５】本考案の実施例を示すコンセントの斜視図である。
【図６】本考案の実施例に係る端子セット、リング片及び電気ワイヤの斜視図である。
【図７】本考案の実施例に係る回動体の断面図である。
【図８】本考案の実施例を示すコンセントのコンセント殼体に対する取付状態を示す一部破断側面図である。
【図９】本考案の実施例を示すコンセントの板体に対する取付状態を示す一部破断側面図である。
【考案を実施するための形態】
【００１２】
以下、本考案の実施例を図面に基づいて詳細に説明する。
図１及び図２に示すように、本考案のコンセントは、円柱形の回動体１０と、回動体１０に結合されたアーマチャ４０とを備える。
回動体１０は、本体１、ベース盤２及び端子セット３を有する。
本体１の上端面には円形の差込み面板１１０が設置され、差込み面板１１０には少なくとも２つの差込口１１が形成され、差込口１１から下方に向かって縦方向に端子嵌合槽１３が設けられる。また、差込み面板１１０には、２つの差込口１１と共に三角形の頂点をなす位置に接地差込口１２が設けられ、接地差込口１２から下方に向かって接地嵌合槽１４が形成される。
さらに、本体１の下端はベース盤２に当接する当接端１６となっており、本体１の外周部にはベース盤２を螺合固定するための螺合柱１５が設けられる。
【００１３】
ベース盤２は本体１の底部を封鎖する円形の部材であって、端子嵌合槽１３の下方にそれぞれ貫通孔２１が形成されている。ベース盤２には本体１の螺合柱１５と対応するネジ孔２３が設けられ、ベース盤２の中心には穿孔２２が形成され、下端の外周縁に沿って径方向に突出した環状ショルダ部２００が設けられる。
図３に示すように、本体１の下端の封鎖端をベース盤２で封鎖した後、ネジ２２０をベース盤２のネジ孔２３から螺合柱１５に向かって螺合し、ベース盤２と本体１とを結合し、これにより、円柱形の回動体１０が形成されると共に、回動体１０の中心に動作中心軸Ｓが形成される。
【００１４】
端子セット３は、本体１の端子嵌合槽１３内部に嵌合されて固定される複数の（図に示す例では２個の）電気端子３１と、接地嵌合槽１４に嵌合されて固定されるアース端子３２とから成る。
電気端子３１の下端には、弾性を有する弾性プローブ片３１０が延伸され、弾性プローブ片３１０は貫通孔２１に挿通されてベース盤２の下面から外部に露出している。なお、各電気端子３１の弾性プローブ片３１０は、異なる半径位置でベース盤２の外表に露出している。
【００１５】
図７に示すように、電気端子３１の上端の開口が本体１の差込口１１に向けられて外部に開放され、プラグの栓刃を差し込んで電力導通を形成することができる。
電気端子３１を端子嵌合槽１３内部へ固定するには、電気端子３１にショルダ部３１１を設け、端子嵌合槽１３の内部に相対するショルダ当接部１３０を形成し、端子嵌合槽１３とショルダ当接部１３０を相互に当接させることで電気端子３１が差込口１１の方向に向かって移動しないようにする。また、電気端子３１の下端部には支持端３１２を形成し、支持端３１２がベース盤２の内側表面に当接される。
【００１６】
したがって、電気端子３１の上下方向の位置はショルダ当接部１３０とベース盤２の内側表面で固定される。一方、電気端子３１は横方向において端子嵌合槽１３の幅に挟持され、これにより電気端子３１を端子嵌合槽１３の底部から進入させた後、ベース盤２で封鎖すると、電気端子３１が固定される。
電気端子３１に設けたショルダ部３１１と支持端３１２の長さは、ベース盤２を本体１に固定した後の相対位置の長さよりやや大きくすることで、ベース盤２の内側表面で電気端子３１をしっかりと支持し、ショルダ部３１１をショルダ当接部１３０にしっかりと当接させることができる。
【００１７】
図１及び図４に示すように、アーマチャ４０は円形のカップリング座体４と、各電気端子３１に対応するリング片５１から成る摺動端子セット５とを有する。
カップリング座体４の上面には、弾性プローブ片３１０の異なる半径位置に相対して、異なる半径のリング片５１が同心状に設置される。
２つのリング片５１はカップリング座体４の上面に設けた環状溝４１に結合され、リング片５１に外部の電気ワイヤ６１が接続されて電力が導通される。カップリング座体４には電気ワイヤ６１を挿通するための通孔４１０が形成され、リング片５１は通孔４１０を介して外部と電気的に接続される。なお、リング片５１とカップリング座体４の間は接着等の任意の方式で固定することができる。
【００１８】
カップリング座体４の外周部には弾性変形側部４０１が立設され、弾性変形側部４０１の上端には内側に向かって複数のツメ片４００が設けられる。ツメ片４００は、弾性変形側部４０１が変形することによって弾性的に開くことができる。
図５及び図８に示すように、カップリング座体４はツメ片４００によってベース盤２の下端に形成された環状ショルダ部２００へ回動可能に係止され、これにより、回動体１０とアーマチャ４０とは共通の動作中心軸Ｓを中心として回転することができる。
そして、電気端子３１の弾性プローブ片３１０は、リング片５１に対して弾性的に接触しながら回転することができる。
【００１９】
即ち、図６に示すように、異なる半径のリング片５１が異なる半径位置にある弾性プローブ片３１０に対応し、弾性プローブ片３１０は弾性的な突っ張り能力を具えているため、弾性プローブ片３１０は平面のリング片５１に対し弾性的に接触して電気的導通を維持しながら回動し、しかも、電気端子３１はリング片５１及び電気ワイヤ６１を介して外部電力に導通される。
これにより、アーマチャ４０が外部のプラグ(図示しない)の差込みを受けて導通された後、プラグの方向を変えると、これに連動してアーマチャ４０と回動体１０とは相対回転し、変化の過程において弾性プローブ片３１０とリング片５１が常に通電の状態を保持することができる。
【００２０】
図８に示すように、アーマチャ４０には、コンセントを取り付けるための連結部４０２が設けられ、連結部４０２にネジを螺合することによりコンセント殼体１７等に対して固定することができる。
コンセント殼体１７は少なくとも１つの開孔１７０を具え、開孔１７０の奥方にコンセントを収納して、開孔１７０に回動体１０の本体１の上端面を露出する。
コンセント殼体１７には開孔１７０の周囲において連結部４０２と対応する位置に螺合孔１７１を設け、連結部４０２との螺合固定に供する。連結部４０２と螺合孔１７１とを螺合しても、回動体１０を自由に回動させることができる。
また、開孔１７０の径はその奥部の径よりもやや狭く、回動体１０の周面には開孔１７０を下から塞ぐ防護用のフランジ１００を具え、フランジ１００は異物が直接開孔１７０から回動体１０の内部に進入するのを防止したり、埃の進入を防止したり、あるいは液体の迅速な進入を一時的に阻止したりすることができる。
【００２１】
図９に示すように、アーマチャ４０の下端面は平面４０３となっており、板体１８の平坦な表面に取り付けることもできる。連結部４０２にネジを螺合して板体１８の上表面にコンセントを突出した状態で組み立てる。
板体１８は一般的な平板または塊状の板体とすることができる。この連結部４０２の選択的な使用によって、円形の開孔を具えたコンセント外殼やあらゆる板体の表面に組み合わせて取り付け、使用することができ、幅広い取り付けの応用に適した単体とすることができる。
【００２２】
回動体１０の径方向の外側には環状の囲い体１９が設けられる。囲い体１９は回動体１０に対して更なる電気的な保護または埃の進入防止等の効果を発揮することができる。
囲い体１９はカップリング座体４の上方から直接延伸して形成したり、別体として組み立てることができ、最終的に囲い体１９はカップリング座体４に固定され、回動体１０は自由な運動をすることができるものとする。
【００２３】
図１に示すように、差込み面板１１０の接地差込口１２に組み込まれるアース端子３２には、下端を折り曲げて摺動円片３２０が形成される。摺動円片３２０は、ベース盤２の中心に設けた穿孔２２に挿通されて、カップリング座体４の中心に設けた円形口４２に挿入されている。また、円形口４２に連通する円孔４２０には枢接片５２が挿通され、枢接片５２に外部からアース線６２が接続されている。
差込み面板１１０とカップリング座体４とは中心軸に対して相対回転し、差込み面板１１０の平面内における角度変化に伴ってアース端子３２の角度を変化させることができる。
【００２４】
図４に示すように、枢接片５２は、カップリング座体４の中央に位置し、外部のアース線６２に接続される。図６に示すように、アース端子３２の下部を中央位置まで延伸して摺動円片３２０が形成され、摺動円片３２０は枢接片５２を介して外部のアース線６２に接続される。
図７に示すように、アース端子３２の上端には支持端部３２１が形成され、接地差込口１２を介して外部に開放されている。また、アース端子３２の下端に形成された圧接端３２２がベース盤２の内側表面に当接され、中心まで延伸して設けられた摺動円片３２０がベース盤２の穿孔２２に挿通される。
図８に示すように、摺動円片３２０は、アーマチャ４０の中心に設けられた枢接片５２に接触し、枢接片５２は円孔４２０を通して外部と電気的に導通され、これにより、アースとして使用することができる。
【００２５】
本考案のコンセントは、機能的な区別を利用し、外部の電気機器への給電に使用する部分を円柱状の回動体とし、その下端に径方向に突出した環状の環状ショルダ部を形成し、アーマチャの外周に設けたツメ片を環状ショルダ部に可動的に係止させることにより、回動体とアーマチャを共通の軸を中心として相対回転可能としてある。
アーマチャの上面にリング片を設けて、回動体の電気端子を電気的に導通させるために提供し、回動体とアーマチャをそれぞれ個別に組み立てた後、係止して組み込むことができ、組み立てに便利であり、組み立てたコンセントに確実に電気を導通させると共に、プラグの差し込み方向に合わせて回動体を回転させることができる。
さらにアーマチャに設けた連結部を利用して選択的に固定することによって、開孔を具えたコンセント殼体や板体に取り付けて固定することができ、本考案のコンセントは幅広く応用することが可能である。
【符号の説明】
【００２６】
１        本体
１０      回動体
１００    フランジ
１１      差込口
１１０    差込み面板
１２      接地差込口
１３      端子嵌合槽
１３０    ショルダ当接部
１４      接地嵌合槽
１５      螺合柱
１６      当接端
１７      コンセント殼体
１７０    開孔
１７１    螺合孔
１８      板体
１９      囲い体
２        ベース盤
２００    環状ショルダ部
２２      穿孔
２２０    ネジ
２３      ネジ孔
３        端子セット
３１      電気端子
３１０    弾性プローブ片
３１１    ショルダ部
３１２    支持端
３２      アース端子
３２０    摺動円片
３２１    支持端部
３２２    圧接端
４        カップリング座体
４０      アーマチャ
４００    ツメ片
４０１    弾性変形側部
４０２    連結部
４０３    平面
４１      環状溝
４１０    通孔
４２      円形口
４２０    円孔
５        摺動端子セット
５１      リング片
５２      枢接片
６１      電気ワイヤ
６２      アース線
Ｓ        動作中心軸 
【図１】
0003164427.tif 000003
【図２】
0003164427.tif 000004
【図３】
0003164427.tif 000005
【図４】
0003164427.tif 000006
【図５】
0003164427.tif 000007
【図６】
0003164427.tif 000008
【図７】
0003164427.tif 000009
【図８】
0003164427.tif 000010
【図９】
0003164427.tif 000011